(57)【要約】【課題】用紙排出部から排出される用紙を既存のファンを利用して簡単な構成で冷却することによって、用紙からの湯気の発生や装置本体外へ排出されてストックされた用紙の貼り付き等の問題を解消することができる画像形成装置を提供すること。【解決手段】画像形成部において用紙上に転写されたトナー像を定着部で加熱及び加圧して定着した後、トナー像が定着された用紙を用紙排出部２６から装置本体外へ排出する装置であって、装置本体内の熱を外部に排出するためのファン２９を前記用紙排出部２６の近傍に備えて成る画像形成装置において、前記ファン２９からの風を前記用紙排出部２６に導くガイド部材を設ける。ここで、ガイド部材として既存のレバー２７を用いる。【選択図】図６
2010078674.tif 000002
【特許請求の範囲】
【請求項１】
画像形成部において用紙上に転写されたトナー像を定着部で加熱及び加圧して定着した後、トナー像が定着された用紙を用紙排出部から装置本体外へ排出する装置であって、装置本体内の熱を外部に排出するためのファンを前記用紙排出部の近傍に備えて成る画像形成装置において、
前記ファンからの風を前記用紙排出部に導くガイド部材を設けたことを特徴とする画像形成装置。
【請求項２】
前記用紙排出部を備えた開閉可能なフロントカバーを備え、該フロントカバーを開閉するためのレバーを前記用紙排出部の横に配置して成る装置であって、前記レバーを前記ガイド部材として構成し、その内部に前記ファンからの風を前記用紙排出部に導く風路を形成したことを特徴とする請求項１記載の画像形成装置。
【請求項３】
前記用紙排出部に上下２段の排出口を設け、前記ガイド部材の内部に分岐部を形成して前記ファンからの風を上下に分流して前記各排出口にそれぞれ導くよう構成したことを特徴とする請求項１又は２記載の画像形成装置。
【請求項４】
前記上下２段の排出口の少なくとも一方は反転排出口であることを特徴とする請求項３記載の画像形成装置。
【発明の詳細な説明】
【技術分野】
【０００１】
本発明は、電子写真プロセスを経て画像が形成された用紙を装置本体外へ排出する用紙排出部の近傍にファンを備えた画像形成装置に関するものである。
【背景技術】
【０００２】
電子写真方式によって用紙に画像を形成する複写機やプリンタ等の画像形成装置においては、画像形成部において用紙上に転写されたトナー像が定着部で加熱及び加圧されて定着され、トナー像が定着された用紙は用紙排出部から装置本体外へ排出される。
【０００３】
斯かる画像形成装置において、用紙排出部が定着部に近い場合には、定着部において加熱された用紙が十分冷却されない間に排出されてしまうため、用紙から湯気が発生したり、排紙トレイ上にストックされた複数の用紙が貼り付くという問題が発生する。
【０００４】
そこで、特許文献１には、用紙排出部に用紙冷却ファンとダクト部材によって構成される冷却手段を設け、複数の排出口からそれぞれ排出される用紙に向けて空気を吹き出すことによって用紙を冷却するようにした画像形成装置が提案されている。
【特許文献１】特開２００２−０７２７２９号公報
【発明の開示】
【発明が解決しようとする課題】
【０００５】
ところが、特許文献１に記載された構成では、冷却手段を構成する用紙冷却ファンとダクト部材を新たに設ける必要があるため、部品点数が増加してコストアップを招く他、冷却手段の設置スペースを新たに確保する必要があり、装置が大型化するという問題がある。
【０００６】
本発明は上記問題に鑑みてなされたもので、その目的とする処は、用紙排出部から排出される用紙を既存のファンを利用して簡単な構成で冷却することによって、用紙からの湯気の発生や装置本体外へ排出されてストックされた用紙の貼り付き等の問題を解消することができる画像形成装置を提供することにある。
【課題を解決するための手段】
【０００７】
上記目的を達成するため、請求項１記載の発明は、画像形成部において用紙上に転写されたトナー像を定着部で加熱及び加圧して定着した後、トナー像が定着された用紙を用紙排出部から装置本体外へ排出する装置であって、装置本体内の熱を外部に排出するためのファンを前記用紙排出部の近傍に備えて成る画像形成装置において、前記ファンからの風を前記用紙排出部に導くガイド部材を設けたことを特徴とする。
【０００８】
請求項２記載の発明は、請求項１記載の発明において、前記用紙排出部を備えた開閉可能なフロントカバーを備え、該フロントカバーを開閉するためのレバーを前記用紙排出部の横に配置して成る装置であって、前記レバーを前記ガイド部材として構成し、その内部に前記ファンからの風を前記用紙排出部に導く風路を形成したことを特徴とする。
【０００９】
請求項３記載の発明は、請求項１又は２記載の発明において、前記用紙排出部に上下２段の排出口を設け、前記ガイド部材の内部に分岐部を形成して前記ファンからの風を上下に分流して前記各排出口にそれぞれ導くよう構成したことを特徴とする。
【００１０】
請求項４記載の発明は、請求項３記載の発明において、前記上下２段の排出口の少なくとも一方を反転排出口とすることを特徴とする。
【発明の効果】
【００１１】
請求項１記載の発明によれば、既存のファンを利用し、該ファンからの風をガイド部材によって用紙排出部に導くようにしたため、用紙排出部が定着部に近い場合であっても、用紙排出部から排出される用紙をファンからの風によって効果的に冷却することができ、排出される用紙から湯気が発生したり、装置本体外に排出されてストックされた複数の用紙同士が貼り付く等の問題を部品点数の増加やコストアップ、装置の大型化を招くことなく解消することができる。
【００１２】
請求項２記載の発明によれば、フロントカバーを開閉するための既存のレバーをガイド部材として利用するため、部品を別途設ける必要がなく、部品点数の増加とこれに伴うコストアップを避けることができる。
【００１３】
請求項３及び４記載の発明によれば、用紙排出部に上下２段に設けられた排出口にはガイド部材によって上下に分流された風がそれぞれ導かれるため、各排出口から排出される用紙が風によって効果的に冷却され、用紙からの湯気の発生等の問題が解消される。
【発明を実施するための最良の形態】
【００１４】
以下に本発明の実施の形態を添付図面に基づいて説明する。
【００１５】
図１及び図２は本発明に係る画像形成装置の斜視図、図３は同画像形成装置の用紙排出部の斜視図、図４はフロントカバーを開いた状態を示す画像形成装置の部分側面図である。
【００１６】
図示の画像形成装置はカラーレーザープリンタであって、矩形ボックス状の装置本体１００を備えている。そして、装置本体１００の前面（図１の斜め右側が前方）には、装置本体１００の下部に設けられた不図示の回動支点を中心として上下に回動して開閉されるフロントカバー１０１が設けられており、該フロントカバー１０１は、メンテナンス等が必要な場合には図４に示すように開かれる。
【００１７】
ところで、カラーレーザープリンタの装置本体１００の上面には、画像が形成された用紙が排出されてストックされる排紙トレイ２１が設けられており、フロントカバー１０１の上部の排紙トレイ２１に対向する面には、図２及び図３に示すように用紙排出部２６が形成されている。この用紙排出部２６は、画像が形成された用紙を排紙トレイ２１へと排出するためのものであって、これには幅方向に長い上下２段の排出口２６ａ，２６ｂが開口している。尚、後述のように、上側の排出口２６ａは両面印字用の反転排出口であり、下側の排出口２６ｂは片面印字用である。
【００１８】
又、図２及び図３に示すように、フロントカバー１０１の前記用紙排出部２６の左右両側には、フロンタカバー１０１の装置本体１００への固定ロックを解除するためのレバー２７がそれぞれ設けられており、フロントカバー１０１を開く際に両レバー２７を押すとフロントカバー１０１の装置本体１００への固定ロックが解除され、フロントカバー１０１をその下端の不図示の回動支点を中心として回動させて図４に示すように開くことができる。
【００１９】
次に、カラーレーザープリンタの内部構造を図５に基づいて説明する。
【００２０】
図５はカラーレーザープリンタの断面図であり、図示のカラーレーザープリンタはタンデム型であって、その装置本体１００内の中央部には、マゼンタ画像形成ユニット１Ｍ、シアン画像形成ユニット１Ｃ、イエロー画像形成ユニット１Ｙ及びブラック画像形成ユニット１Ｋが一定の間隔でタンデムに配置されている。
【００２１】
上記各画像形成ユニット１Ｍ，１Ｃ，１Ｙ，１Ｋには、像担持体である感光ドラム２ａ，２ｂ，２ｃ，２ｄがそれぞれ配置されており、各感光ドラム２ａ〜２ｄの周囲には、帯電器３ａ，３ｂ，３ｃ，３ｄ、現像装置４ａ，４ｂ，４ｃ，４ｄ、一次転写手段である転写ローラ５ａ，５ｂ，５ｃ，５ｄ及びドラムクリーニング装置６ａ，６ｂ，６ｃ，６ｄがそれぞれ配置されている。
【００２２】
ここで、前記感光ドラム２ａ〜２ｄは、ドラム状の感光体であって、これらは不図示のモータから動力伝達機構を介して伝達される駆動力によって図示矢印方向（時計方向）に所定のプロセススピードで回転駆動される。
【００２３】
又、前記帯電器３ａ〜３ｄは、不図示の帯電バイアス電源から印加される帯電バイアスによって感光ドラム２ａ〜２ｄの表面を所定の電位に均一に帯電させるものである。
【００２４】
更に、前記現像装置４ａ〜４ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものである。
【００２５】
又、前記転写ローラ５ａ〜５ｄは、各一次転写部にて中間転写体である無端状の中間転写ベルト７を介して各感光ドラム２ａ〜２ｄに当接可能に配置されている。ここで、中間転写ベルト７は、ゴム層を含む多層構造として構成された無端ベルトであって、その最外層であるゴム層が感光ドラム２ａ〜２ｄに接触している。そして、この中間転写ベルト７は、ローラ８，９の間に張設されて各感光ドラム２ａ〜２ｄの上面側に走行可能に配置されている。
【００２６】
ところで、装置本体１００内の各画像形成ユニット１Ｍ，１Ｃ，１Ｙ，１Ｋの上方には、前記各現像装置４ａ〜４ｄにトナーを補給するためのトナーコンテナ１２ａ，１２ｂ，１２ｃ，１２ｄが一列に並設されている。
【００２７】
又、装置本体１００内の各画像形成ユニット１Ｍ，１Ｃ，１Ｙ，１Ｋの下方にはレーザースキャナユニット（ＬＳＵ）１３が配置され、その下方の本体１００の底部には給紙カセット１４が着脱可能に設置されている。そして、給紙カセット１４には複数枚の不図示の用紙が積層収容されており、この給紙カセット１４の近傍には、給紙カセット１４から用紙を１枚ずつ取り出すピックアップローラ１５と、取り出された用紙を搬送パスＬへと送り出すフィードローラ１６とリタードローラ１７が設けられている。
【００２８】
更に、装置本体１００の側部を上下方向に延びる前記搬送パスＬには、用紙を搬送する搬送ローラ対１８と、用紙を一時待機させた後に所定のタイミングで中間転写ベルト７を回転支持する前記駆動ローラ８と二次転写ローラ１０との当接部である二次転写部へと供給するレジストローラ対１９が設けられている。尚、搬送パスＬの横には、用紙の両面に画像を形成する場合に使用される別の搬送パスＬ’が形成されており、この搬送パスＬ’には複数の搬送ローラ対２０が適当な間隔で設けられている。
【００２９】
ところで、装置本体１００内の一側部に縦方向に配置された前記搬送パスＬは、装置本体１００の上面に設けられた排紙トレイ２１まで延びており、その途中には定着装置２２と排紙ローラ対２３が設けられている。
【００３０】
次に、以上の構成を有するカラーレーザープリンタによる画像形成動作について説明する。
【００３１】
画像形成開始信号が発せられると、各画像形成ユニット１Ｍ，１Ｃ，１Ｙ，１Ｋにおいて各感光ドラム２ａ〜２ｄが不図示のモータによって図１の矢印方向（時計方向）に所定のプロセススピードでそれぞれ回転駆動され、これらの感光ドラム２ａ〜２ｄは、帯電ローラ３ａ〜３ｄによって一様に帯電される。又、レーザースキャナユニット１３は、各色毎のカラー画像信号によって変調されたレーザー光を出射し、そのレーザー光を各感光ドラム２ａ〜２ｄの表面に照射し、各感光ドラム２ａ〜２ｄ上に各色のカラー画像信号に対応した静電潜像をそれぞれ形成する。
【００３２】
そして、先ず、マゼンタ画像形成ユニット１Ｍの感光ドラム２ａ上に形成された静電潜像に、該感光ドラム２ａの帯電極性と同極性の現像バイアスが印加された現像装置４ａによってマゼンタトナーを付着させ、該静電潜像をマゼンタトナー像として可視像化する。このマゼンタトナー像は、感光ドラム２ａと転写ローラ５ａとの間の一次転写部（転写ニップ部）において、転写ローラ５ａによって中間転写ベルト７にトナーと逆極性の一次転写バイアスが印加されることによって、図５の矢印方向に回転駆動されている中間転写ベルト７上に一次転写される。
【００３３】
而して、前述のようにしてマゼンタトナー像が一次転写された中間転写ベルト７は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト７上のマゼンタトナー像に重ねて転写される。
【００３４】
以下同様にして、中間転写ベルト７上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト７上にはフルカラーのトナー像が形成される。尚、中間転写ベルト７上に転写されないで各感光ドラム２ａ〜２ｄ上に残留する転写残トナーは、各ドラムクリーニング装置６ａ〜６ｄによって除去され、各感光ドラム２ａ〜２ｄは次の画像形成に備えられる。
【００３５】
他方、中間転写ベルト７上のフルカラートナー像の先端がローラ８と二次転写ローラ１０間の二次転写部（転写ニップ部）に達するタイミングに合わせて、給紙カセット１４からピックアップローラ１５とフィードローラ１６及びリタードローラ１７によって搬送パスＬへと送り出された用紙がレジストローラ対１９によって二次転写部へと搬送される。そして、二次転写部に搬送された用紙に、トナーと逆極性の二次転写バイアスが印加された二次転写ローラ１０によってフルカラーのトナー像が中間転写ベルト７から一括して二次転写される。
【００３６】
而して、フルカラーのトナー像が転写された用紙は、定着装置２２へと搬送され、フルカラーのトナー像が加熱及び加圧されて用紙の表面に熱定着され、トナー像が定着された用紙は、排紙ローラ対２３によって用紙排出部の下側の排出口から排紙トレイ２１上に排出され、これによって一連の画像形成動作が完了する。尚、用紙上に転写されないで中間転写ベルト７上に残留する転写残トナーは、前記ベルトクリーニング装置１１によって除去され、中間転写ベルト７は次の画像形成に備えられる。
【００３７】
尚、以上は用紙の片面に画像を形成する片面印字の場合の画像形成動作について説明したが、用紙の両面に画像を形成する両面印字の場合には、前述のプロセスを経て片面に画像が形成された用紙は、フラッパ３０によって搬送方向が切り替えられて用紙排出部２６の上側の排出口２６ａからその一部が排出された後、スイッチバックされて別の搬送路Ｌ’へと導かれ、この搬送路Ｌ’を通過することによって表裏が反転されてレジストローラ対１９へと搬送される。そして、以後は前記と同等のプロセスを経て裏面に画像が形成され、両面に画像が形成された用紙は片面印字と同様に用紙排出部２６の下側の排出口２６ｂから排紙トレイ２１へと排出される。
【００３８】
次に、本発明の要旨を構成する用紙排出部２６の冷却構造について説明する。
【００３９】
＜実施の形態１＞
図６は排紙部近傍に設けられたファンとレバーを示す部分斜視図、図７はレバーの表面側斜視図、図８及び図９は同レバーの背面側斜視図、図１０は同レバーでの風の流れを示すレバーの背面図である。
【００４０】
図６に示すように、フロントカバー１０１内の片側（本実施の形態では左側）のレバー２７の奥側（裏側）には、その近傍に配されたモータ２８等を冷却するためのファン２９が設けられており、該ファン２９からは風がレバー２７の背面に向かって（後方に向かって）吹き出している。
【００４１】
ここで、レバー２７の背面には、図８及び図９に示すように、互いに平行な縦リブ２７ａ，２７ｂに縦方向に長い風路Ｓ１が画成されている。この風路Ｓ１はレバー２７の背面側（図８の手前側の面）が開口しており、該風路Ｓ１の上方には、レバー２７の背面から離間して設けられた平面壁２７ｃによって横方向の風路Ｓ２（図１０参照）が形成されており、この風路Ｓ２と前記風路Ｓ１とは互いに連通している。そして、風路Ｓ２は、図７、図９及び図１０に示すように、レバー２７の内側端面に排風口２７ｄとして開口しており、この排風口２７ｄは、その下部の開口幅が下方に向かって広がるような開口形状を有している。
【００４２】
而して、前記ファン２９からレバー２７の背面に向けて吹き付けられる風は、図１０に矢印にて示すように、レバー２７に形成された前記風路Ｓ１を上方に向かって流れて上方の風路Ｓ２へと流れ込み、風路Ｓ２に流れ込んだ風は、風路Ｓ２の一部を形成する横リブ２７ｅに衝突してその流れ方向を直角に曲げられた後、風路Ｓ２を横方向に流れて排風口２７ｄから用紙排出部２６に向かって排出される。
【００４３】
用紙排出部２６においては、風が横方向から吹き付けられるため、片面印字の場合には下方の排出口２６ｂから排出される用紙が風によって効果的に冷却される。又、両面印字においては、上側の排出口２６ａからその一部が一旦排出される用紙が風によって冷却されるとともに、最終的に両面に画像が形成された用紙が下側の排出口２６ｂから排出される際に該用紙が風によって効果的に冷却される。
【００４４】
以上のように、本実施の形態では、既存のファン２９を利用し、該ファン２９からの風をガイド部材としての既存のレバー２７によって用紙排出部２６に導くようにしたため、該用紙排出部２６が定着装置２２に近い場合であっても、用紙排出部２６から排出される用紙をファン２９からの風によって効果的に冷却することができ、排出される用紙から湯気が発生したり、装置本体１００外に排出されて排紙トレイ２１上にストックされた複数の用紙同士が貼り付く等の問題を部品点数の増加やコストアップ、装置の大型化を招くことなく解消することができる。特に、本実施の形態では、フロントカバー１０１を開閉するための既存のレバー２７をガイド部材として利用するため、部品を別途設ける必要がなく、部品点数の増加とこれに伴うコストアップを避けることができる。
【００４５】
＜実施の形態２＞
次に、本発明の実施の形態２を図１１〜図１４に基づいて説明する。
【００４６】
図１１はレバーの表面側斜視図、図１２は同レバーの背面側斜視図、図１３は同レバー内での風の流れを示すレバーの背面図、図１４は排出部での風の流れを示すカラーレーザープリンタの排出部の正面図であり、これらの図においては図６〜図１０において示したものと同一要素には同一符号を付しており、以下、それらについての再度の説明は省略する。
【００４７】
本実施の形態は、ガイド部材であるレバー２７の内部に形成された風路Ｓ２に分岐部として仕切リブ２７ｆを突設し、この仕切リブ２７ｆによって風路Ｓ２を上下に分割して分割風路Ｓ２１，Ｓ２２としたことを特徴とし、他の構成は前記実施の形態のそれと同じである。
【００４８】
而して、本実施の形態では、ファン２９（図６参照）からレバー２７の背面に向けて吹き付けられる風は、前記実施の形態１と同様に、レバー２７に形成された風路Ｓ１を上方に向かって流れて上方の風路Ｓ２へと流れ込むが、風路Ｓ２に流れ込んだ風は、横リブ２７ｅに衝突してその流れ方向を直角に曲げられるとともに、仕切リブ２７ｆによって上下に分流され、分流された各風は風路Ｓ２内の上下の分割風路Ｓ２１，Ｓ２２を図１３に矢印にて示すようにそれぞれ横方向に流れ、図１１及び図１４に示すように排風口２７ｄから用紙排出部２６の上下の排出口２６ａ，２６ｂに向かってそれぞれ排出される。
【００４９】
用紙排出部２６においては、風が横方向から吹き付けられるため、片面印字の場合には下方の排出口２６ｂから排出される用紙がレバー２７の風路Ｓ２の下側の分割風路Ｓ２２から吹き付けられる風によって効果的に冷却される。又、両面印字においては、上側の排出口２６ａからその一部が一旦排出される用紙がレバー２７の風路Ｓ２の上側の分割風路Ｓ２１から吹き付けられる風によって冷却されるとともに、最終的に両面に画像が形成された用紙がレバー２７の風路Ｓ２の下側の分割風路Ｓ２２から吹き付けられる風によって効果的に冷却される。
【００５０】
従って、本実施の形態においても、前記実施の形態１と同様に既存のファン２９とレバー２７を利用して用紙排紙部２６に風を吹き付け、用紙排紙部２６から排出される用紙を風によって冷却するようにしたため、部品点数の増加とコストアップ、装置の大型化等を招くことなく、排出される用紙から湯気が発生したり、装置本体１００外に排出されて排紙トレイ２１上にストックされた複数の用紙同士が貼り付く等の問題を解消することができる。
【００５１】
尚、以上は本発明をカラーレーザープリンタに適用した形態について説明したが、本発明は、プリンタの他、複写機やファクシミリ、複合機等の他の任意の画像形成装置に対しても同様に適用可能であることは勿論である。
【図面の簡単な説明】
【００５２】
【図１】本発明に係るカラーレーザープリンタの斜視図である。
【図２】本発明に係るカラーレーザープリンタの斜視図である。
【図３】本発明に係るカラーレーザープリンタの用紙排出部の斜視図である。
【図４】本発明に係るカラーレーザープリンタのフロントカバーを開いた状態を示す
【図５】本発明に係るカラーレーザープリンタの断面図である。
【図６】本発明に係るカラーレーザープリンタの排紙部近傍に設けられたファンとレバーを示す部分斜視図である。
【図７】本発明の実施の形態１に係るレバーの表面側斜視図である。
【図８】本発明の実施の形態１に係るレバーの背面側斜視図である。
【図９】本発明の実施の形態１に係るレバーの背面側斜視図である。
【図１０】本発明の実施の形態１に係るレバーでの風の流れを示すレバーの背面図である。
【図１１】本発明の実施の形態２に係るレバーの表面側斜視図である。
【図１２】本発明の実施の形態２に係るレバーの背面側斜視図である。
【図１３】本発明の実施の形態２に係るレバー内での風の流れを示すレバーの背面図である。
【図１４】本発明の実施の形態２における排出部での風の流れを示すカラーレーザープリンタの排出部の正面図である。
【符号の説明】
【００５３】
１Ｍ            マゼンタ画像形成ユニット
１Ｃ            シアン画像形成ユニット
１Ｙ            イエロー画像形成ユニット
１Ｋ            ブラック画像形成ユニット
２ａ〜２ｄ      感光ドラム（像担持体）
３ａ〜３ｄ      帯電器
４ａ〜４ｄ      現像装置
５ａ〜５ｄ      転写ローラ
６ａ〜６ｄ      ドラムクリーニング装置
７              中間転写ベルト（転写ベルト）
８，９          ローラ
１０            二次転写ローラ
１１            ベルトクリーニング装置
１２ａ〜１２ｄ  トナーコンテナ
１３            レーザースキャナユニット（ＬＳＵ）
１４            給紙カセット
１５            ピックアップローラ
１６            フィードローラ
１７            リタードローラ
１８            搬送ローラ対
１９            レジストローラ対
２０            搬送ローラ対
２１            排紙トレイ
２２            定着装置（定着部）
２３            排紙ローラ対
２４，２５      補助ローラ
２６            用紙排出部
２６ａ，２６ｂ  用紙排出部の排出口
２７            レバー（ガイド部材）
２７ａ，２７ｂ  レバーの縦リブ
２７ｃ          レバーの平面壁
２７ｄ          レバーの排風口
２７ｅ          レバーの横リブ
２７ｆ          仕切リブ
２８            モータ
２９            ファン
３０            フラッパ
１００          画像形成装置本体
１０１          フロントカバー
Ｌ，Ｌ’        搬送パス
Ｓ１，Ｓ２      風路
Ｓ２１，Ｓ２２  分割風路
【図１】
2010078674.tif 000003
【図２】
2010078674.tif 000004
【図３】
2010078674.tif 000005
【図４】
2010078674.tif 000006
【図５】
2010078674.tif 000007
【図６】
2010078674.tif 000008
【図７】
2010078674.tif 000009
【図８】
2010078674.tif 000010
【図９】
2010078674.tif 000011
【図１０】
2010078674.tif 000012
【図１１】
2010078674.tif 000013
【図１２】
2010078674.tif 000014
【図１３】
2010078674.tif 000015
【図１４】
2010078674.tif 000016